(57)【要約】      （修正有） 【課題】通常の打撃練習をはじめ、エッジボールやネットインボールの返球練習等の、特別な練習にも使用可能な、簡易な構成の卓球練習具を提供する。【解決手段】傾斜ガイド２、支柱３及び反撥支持台４とから成り、傾斜ガイド２は、互いに平行に配置された一対の断面矩形のレール８を備え、傾斜ガイドの上端側は支柱３で支持されており、傾斜ガイドの下端側は反撥支持台４で支持されており、傾斜ガイドの上端から供給された卓球用ボール１２は、一対のレール８のそれぞれと点接触して転動落下し、反撥支持台４に衝突し撥ねられて前方斜め上方に送られる。卓球用ボールが送り出される角度を調整するために、支柱を伸縮自在とするとともに、傾斜ガイドを支柱及び反撥支持台に回転可能に取り付ける構造とするのが好ましい。【選択図】図１
0003191759.tif 000002
【実用新案登録請求の範囲】
【請求項１】
傾斜ガイド、支柱及び反撥支持台とから成る卓球練習具であって、
傾斜ガイドは、互いに平行に配置された一対の断面矩形のレールを備え、傾斜ガイドの上端側は支柱で支持されており、傾斜ガイドの下端側は反撥支持台で支持されており、
傾斜ガイドの上端から供給された卓球用ボールは、一対のレールと点接触して転動落下し、反撥支持台に衝突し撥ねられて前方斜め上方に送られる構成であることを特徴とする卓球練習具。
【請求項２】
傾斜ガイドは、伸縮自在とすることで、その上端の高さを調節できる構成であることを特徴とする請求項１に記載の卓球練習具。
【請求項３】
支柱は伸縮自在であり、かつ傾斜ガイドを支柱及び反撥支持台に回転可能に取り付けられていることにより、支柱を伸縮することで、傾斜ガイドの上端の高さを調節できる構成であることを特徴とする請求項１又は２に記載の卓球練習具。
【請求項４】
反撥支持台の上面は、水平又は傾斜した平坦面であることを特徴とする請求項１〜３のいずれかに記載の卓球練習具。
【請求項５】
反撥支持台の上面は、複数の凹凸の形成された面である構成であることを特徴とする請求項１〜３のいずれかに記載の卓球練習具。
【考案の詳細な説明】
【技術分野】
【０００１】
本考案は、卓球の打撃練習（例えば、通常の返球練習、エッヂボールやネットインボールの返球練習等）に使用される卓球練習具に関する。
【背景技術】
【０００２】
従来、前側及び後側の支柱によって傾斜した状態で支えられ、円筒状ガイド部材を有し、卓球台の上に載置してエッヂボールやネットインボールの返球の練習をするのに適した卓球練習具は知られている（特許文献１、図１参照）。
【０００３】
この卓球練習具は、エッヂボールの返球を練習するときには、卓球練習具は、そのボール出口が卓球台のエッヂに臨むようにして位置決めされ、ネットインボールの返球を練習するときには、卓球練習具は、そのボール出口がネットの上端縁に臨むようにして位置決めされて使用される。
【先行技術文献】
【特許文献】
【０００４】
【特許文献１】特開２００７−９７８７６号公報
【考案の概要】
【考案が解決しようとする課題】
【０００５】
上記特許文献１に記載の卓球練習具は、卓球用ボールを円筒状ガイド部材内でガイドさせて転動落下させる構成であるから、卓球用ボールは、転動落下する際に、円筒状ガイド部材内の底面、側面等、面接触する部分が多いので、その転動落下の速度が減じられる。
【０００６】
また、上記特許文献１に記載の卓球練習具は、エッヂボールの返球を練習するときには、卓球練習具は、そのボール出口が卓球台のエッヂに臨むようにして位置決めされ、ネットインボールの返球を練習するときには、卓球練習具は、そのボール出口がネットの上端縁に臨むようにして位置決めされて使用される。要するに、エッヂボールの返球やネットインボールの返球等の、特別な練習には、適宜移動して利用できるが、通常の打球練習には、必ずしも向いていない。
【０００７】
本考案は、上記従来の卓球練習具の問題を解決することを目的とし、通常の打球練習をするために適切であるとともに、エッヂボールの返球やネットインボールの返球等の特別な練習にも使用可能な、簡易な構成の卓球練習具を実現することを課題とする。
【課題を解決するための手段】
【０００８】
本考案は上記課題を解決するために、傾斜ガイド、支柱及び反撥支持台とから成る卓球練習具であって、傾斜ガイドは、互いに平行に配置された一対の断面矩形のレールを備え、傾斜ガイドの上端側は支柱で支持されており、傾斜ガイドの下端側は反撥支持台で支持されており、傾斜ガイドの上端から供給された卓球用ボールは、一対のレールと点接触して転動落下し、反撥支持台に衝突し撥ねられて前方斜め上方に送られる構成であることを特徴とする卓球練習具を提供する。
【０００９】
傾斜ガイドは、伸縮自在とすることで、その上端の高さを調節できる構成としてもよい。
【００１０】
支柱は伸縮自在であり、かつ傾斜ガイドを支柱及び反撥支持台に回転可能に取り付けられていることにより、支柱を伸縮することで、傾斜ガイドの上端の高さを調節できる構成としてもよい。
【００１１】
反撥支持台の上面は、水平又は傾斜した平坦面であるとしてもよい。
【考案の効果】
【００１２】
本考案に係る卓球練習具によれば、通常の打球練習を効果的にできるとともに、エッヂボールの返球やネットインボールの返球等の、特別な練習にも使用可能である。
【図面の簡単な説明】
【００１３】
【図１】本考案に係る卓球練習具の実施例の構成を説明する図であり、（ａ）は側面図を示し、（ｂ）は平面図を示し、（ｃ）は（ａ）のＣ−Ｃ断面図を示し、（ｄ）は卓球用ボールをガイドに載せた状態を示す図である。
【図２】上記実施例の卓球練習具の作用を説明する図であり、一般的な使用状態を示す。
【図３】上記実施例の卓球練習具の作用を説明する図であり、（ａ）、（ｂ）は特別な使用状態を示す。
【考案を実施するための形態】
【００１４】
本考案に係る卓球練習具を実施するための形態を実施例に基づき図面を参照して、以下説明する。
【実施例】
【００１５】
本考案に係る卓球練習具の実施例を、図１〜図３において説明する。この実施例の卓球練習具１は、図１（ａ）、（ｂ）に示すように、傾斜ガイド２と、支柱３と、反撥支持台４と、から構成されている。
【００１６】
傾斜ガイド２は、その後端部は支柱３の頂部に固定されており、その前端部は反撥支持台４の上に載置されて固定され、全体として前方（卓球練習者から見て手前側）に向けて低くなるように傾斜した構成である。
【００１７】
傾斜ガイド２は、木材、合成樹脂、金属、無機材等の材料で形成され、図１（ｃ）に示すように、長細い基板７と、基板７上に取り付けられ互いに平行に配列された一対の断面矩形のレール８と、から構成される。一対のレール８は、断面矩形の角材等が用いられる。
【００１８】
平行に設けられた一対のレール８の互いに間隔ｄは、図１（ｄ）に示すように、互いに対抗する内側の角部９で卓球用ボール１２を点接触させながら転動落下させるのに適した寸法とする。
【００１９】
図示はしないが、傾斜ガイド２において、少なくとも一対のレール８を、例えば入れ子式にして伸縮自在とし、上端をさらに上方に伸ばせるように調節可能な構成としてもよい。このような構成とすると、傾斜ガイド２の上端の高さが調節でき、卓球用ボール１２の転動落下の速度を変えることが可能となる。
【００２０】
反撥支持台４は、傾斜ガイド２の下端を載置して固定するとともに、傾斜ガイド２によってガイドされて落下してきた卓球用ボール１２を衝突させ反撥させて、前方斜め上方に跳ね上げて送るものである。
【００２１】
反撥支持台４は、卓球用ボール１２が反撥する材料であれば、木材、合成樹脂、金属、無機材等、いずれの材料で形成されてもよく、矩形のブロック状に形成されている。反撥支持台４における卓球用ボール１２が衝突する上面は、水平な平面に形成されている。
【００２２】
反撥支持台４の上面１３における左右方向の寸法ｘ及び前後方向の寸法ｙは、反撥支持台４の上面１３に転動落下してきた卓球用ボール１２が衝突する広さを備えるように設計する。
【００２３】
具体的には、左右方向の寸法ｘは、卓球用ボール１２の直径程度の長さ以上であればよく、前後方向の寸法ｙは、卓球用ボール１２が一対のレール８の下端から転がり落ちて衝突する程度の長さに、傾斜ガイド２の下端から前方に張り出している必要がある。
【００２４】
しかし、卓球用ボール１２が一対のレール８を転動する際に、若干の横ぶれや、撥ねあがり等が生じる点を考慮して、反撥支持台４の上面１３の左右方向の寸法ｘ及び前後方向の寸法ｙは、余裕を持って大きめに設計することが好ましい。
【００２５】
この反撥支持台４の上面１３は、水平でなくても前後方向のいずれか、又は左右方向のいずれかに向けて上下に、若干低く又は高くなるような傾斜面にする構成であってもよい。このような傾斜面とすることで、卓球用ボール１２が反撥後に進む上方への角度や左右方向への角度を変えることが可能である。
【００２６】
また、反撥支持台４の上面１３を平面ではなく凹凸面とすることで、反撥後の卓球用ボール１２の進む方向をランダム（不規則）にして、練習者に跳ね上がり方向が予測できないランダム球の打撃練習させることも可能である。さらに、反撥力（反撥係数）の異なる材料から成る反撥支持台４を複数設け、変えてもよい。
【００２７】
このように反撥支持台４の上面１３が傾斜したり、或いは反撥力（反撥係数）の異なる材料から成る反撥支持台４は、いろいろな種類を複数設け、適宜、傾斜ガイド２の下端に着脱して付け替え可能な構成とすれば、練習目的や練習メニューに応じて多様な練習が可能となる。
【００２８】
傾斜ガイド２の傾斜角度θは、３５°〜５０°程度であり、実証的に使用してみると、通常の打球練習では、θは４０°程度が好ましい。
【００２９】
この傾斜角度θは、練習目的に応じて最適な角度とすればよい。例えば、反撥支持台４から卓球用ボール１２を高く上げて、それを直に打つ或いは一度卓球台１４でバウンドさせる場合は、傾斜角度θを大きくする。その逆に、反撥支持台４から卓球用ボール１２を低く上げて、それを直に打つ或いは一度卓球台１４でバウンドさせる場合は、傾斜角度θを小さくする。
【００３０】
そのために、支柱３を、例えば入れ子式で伸縮自在とするとともに、傾斜ガイド２の上端及び下端を支柱３及び反撥支持台４へ、上下方向に回動可能に取り付ける構成としてもよい。
【００３１】
（作用）
上記構成の卓球練習具１の作用について、その使用を通して、以下に説明する。卓球練習具１を使用して通常の返球のための打撃練習をする時は、図２に示すように、卓球練習具１を卓球台１４上に載置する。練習者は、通常の練習のように卓球台１４に向かう。
【００３２】
トレーナ等は、複数の卓球用ボール１２をバッグ、バケツ等に入れて、傾斜ガイド２の上端において、一つづつ一対のレール８におく（図１（ｄ）、図２のイ参照）。すると、卓球用ボール１２は、図２に示すように、一対のレール８の内側の角部９に点接触して転動し落下する（図１（ｄ）、図２のイ参照）。
【００３３】
そして、卓球用ボール１２は、傾斜ガイド２の下端において転がり落ちてから反撥支持台４の上面１３に衝突し（図２のロ参照）、反撥して前方の斜め上方へ跳ね上がり、送り出される。
【００３４】
練習者は、このように斜め上方に送り出された状態（図２のハ参照）の卓球用ボール１２を、直接打ってもよいし、或いは、斜め上方に送り出されてからさらに卓球台１４上でワンバウンドした状態（図２ａのニ参照）の卓球用ボール１２を打ってもよい。このような打撃のタイミングは、それぞれ練習目的に応じて行えばよい。
【００３５】
このように、卓球用ボール１２が反撥後に送り出される角度αは、傾斜ガイド２の傾斜角度θ、傾斜ガイド２にガイドされて転動落下する卓球用ボールの落下速度、反撥支持台の反撥係数（反撥度）等のパラメータによって変わる。従って、角度αを調整するためには、上記パラメータを調整すればよい。例えば、θを４０°として、αを４０°とするように調整する等である。
【００３６】
例えば、卓球用ボール１２が送り出される角度αを調整するためには、前記したとおり、支柱３を伸縮自在とするとともに、傾斜ガイド２の上端及び下端を支柱３及び反撥支持台４へ上下方向に回転可能に取り付ける構造とすることで、傾斜ガイド２の傾斜角度θや傾斜ガイド２の上端の高さｈを変えられるようにすればよい。
【００３７】
これによって、傾斜ガイド２の上端の高さｈを変えて、卓球用ボール１２の落下速度を変えたり、傾斜ガイド２の傾斜角θを変更可能とすることで、卓球用ボール１２が送り出される角度αや高さを変えることが可能となる。
【００３８】
なお、前記したとおり、傾斜ガイド２の少なくとも一対のレール８を、例えば入れ子式にしてその長手方向に伸縮自在とすることで、傾斜ガイド２の上端の高さｈを変えて、卓球用ボール１２の落下速度を変えることで、卓球用ボール１２が送り出される角度αや高さを変えることが可能となる。
【００３９】
卓球台のエッジに当るエッヂボールの打撃練習をするときには、卓球練習具１は、図３（ａ）に示すように、反撥支持台４から跳ね上がった卓球用ボール１２が、卓球台１４のエッヂ１７辺りに当たるように、卓球台１４上に位置決めして載置すればよい。
【００４０】
また、ネットに当たって返球されたネットインボールの打撃練習をするときには、卓球練習具１は、図２（ｂ）に示すように、反撥支持台４から跳ね上がった卓球用ボール１２が、ネット１８の上縁辺りに当たるように、卓球台１４上に位置決めして載置すればよい。  
【００４１】
以上、本考案に係る卓球練習具を実施するための形態を実施例に基づいて説明したが、本考案はこのような実施例に限定されるものではなく、実用新案登録請求の範囲に記載された技術的事項の範囲内でいろいろな実施例があることは言うまでもない。
【産業上の利用可能性】
【００４２】
本考案に係る卓球練習具は上記のような簡単な構成であるから、卓球台上に載置して使用する卓球練習場での卓球練習具としてだけでなく、家庭においてテーブル上に載置して使用する個人用の卓球練習具としても適用可能である。
【００４３】
また、傾斜ガイドの上端への卓球用ボールの供給を自動化する自動卓球用ボール供給機を設ければ、卓球練習場での卓球練習具としてだけでなく、野球の打撃練習のためのバッティングセンターと同様に街の卓球練習センターとしても展開可能である。
【符号の説明】
【００４４】
１  卓球練習具
２  傾斜ガイド
３  支柱
４  反撥支持台
７  傾斜ガイドの基板
８  傾斜ガイドのレール
９  一対のレールの互いに対抗する内側の角部
１２  卓球用ボール
１３  反撥支持台の上面
１４  卓球台
１７  卓球台のエッジ
１８  ネット 
【図１】
0003191759.tif 000003
【図２】
0003191759.tif 000004
【図３】
0003191759.tif 000005